(57)【要約】【課題】無線通信システムにおける制御信号伝送方法を提供する。【解決手段】制御信号伝送方法は、サブフレームでＲＡＣＨ（Random Access CHannel）リソース上でランダムアクセスプリアンブルを伝送し、前記ＲＡＣＨリソースは、ランダムアクセスプリアンブルの伝送にかかる時間であるプリアンブル区間と、前記ランダムアクセスプリアンブルのＣＰ（Cyclic Prefix）の伝送にかかる時間であるＣＰ区間とを含む段階、及び前記サブフレームで前記ＲＡＣＨリソースに続くＳＣ-ＦＤＭＡ（Single Carrier-Frequency Division Multiple Access）シンボル上でサウンディング信号を伝送する段階を含む。【選択図】図１０
2011501911.tif 000002
【特許請求の範囲】
【請求項１】
無線通信システムにおける制御信号伝送方法において、
サブフレームのＲＡＣＨリソース上でランダムアクセスプリアンブルを伝送し、前記ＲＡＣＨリソースは、前記ランダムアクセスプリアンブルの伝送にかかる時間であるプリアンブル区間と、前記ランダムアクセスプリアンブルのＣＰの伝送にかかる時間であるＣＰ区間とを含む段階と、
前記サブフレームで前記ＲＡＣＨリソースに続くＳＣ-ＦＤＭＡシンボル上でサウンディング信号を伝送する段階と、
を有する方法。
【請求項２】
前記サウンディング信号は、前記サブフレームの最後のＳＣ-ＦＤＭＡシンボルで伝送される請求項１に記載の方法。
【請求項３】
前記サブフレームは、前記ＲＡＣＨリソース及び保護区間を含む請求項１に記載の方法。
【請求項４】
前記サウンディング信号は、前記保護区間内の前記ＳＣ-ＦＤＭＡシンボル上で伝送される請求項３に記載の方法。
【請求項５】
前記ランダムアクセスプリアンブル及び前記サウンディング信号は、前記サブフレームで同時に伝送される請求項１に記載の方法。
【請求項６】
前記ランダムアクセスプリアンブル及び前記サウンディング信号は、異なるサブフレームで伝送される請求項１に記載の方法。
【請求項７】
前記ランダムアクセスプリアンブルのインデックスとアップリンクタイミング補正のためのタイムオフセットとを含むランダムアクセス応答を受信する段階をさらに有する請求項１に記載の方法。
【請求項８】
前記サウンディング信号は、アップリンクスケジューリングのためのリファレンス信号である請求項１に記載の方法。
【請求項９】
無線信号を伝送するＲＦ部と、
前記ＲＦ部と接続されたプロセッサであって、サブフレームのＲＡＣＨリソース上でランダムアクセスプリアンブルを伝送し、前記ＲＡＣＨリソースは、前記ランダムアクセスプリアンブルの伝送にかかる時間であるプリアンブル区間と、前記ランダムアクセスプリアンブルのＣＰの伝送にかかる時間であるＣＰ区間とを含み、前記サブフレームの前記ＲＡＣＨリソースと重複しないＳＣ-ＦＤＭＡシンボル上でサウンディング信号を伝送するプロセッサと、を有する無線通信のための装置。
【請求項１０】
前記サウンディング信号のための前記ＳＣ-ＦＤＭＡシンボルは、前記サブフレームで前記ＲＡＣＨリソースに続く請求項９に記載の無線通信のための装置。
【請求項１１】
前記サウンディング信号は、前記サブフレームの最後のＳＣ-ＦＤＭＡシンボルで伝送される請求項９に記載の無線通信のための装置。
【請求項１２】
前記サブフレームは、前記ＲＡＣＨリソース及び保護区間を含む請求項９に記載の無線通信のための装置。
【請求項１３】
前記サウンディング信号は、前記保護区間内の前記ＳＣ-ＦＤＭＡシンボル上で伝送される請求項１２に記載の無線通信のための装置。
【請求項１４】
前記ランダムアクセスプリアンブル及び前記サウンディング信号は、前記サブフレームで同時に伝送されない請求項９に記載の無線通信のための装置。
【発明の詳細な説明】
【技術分野】
【０００１】
本発明は、無線通信に関し、より詳しくは、無線通信システムにおける制御信号伝送方法に関する。
【背景技術】
【０００２】
無線通信システムは、音声やデータなどの多様な種類の通信サービスを提供するために広範囲に展開されている。一般的に、無線通信システムは、使用可能なシステムリソース（帯域幅、伝送パワー等）を共有してマルチユーザとの通信を支援することができる多元接続（multiple access）システムである。多元接続システムの例としては、符号分割多元接続（Code Division Multiple Access；ＣＤＭＡ）システム、周波数分割多元接続（Frequency Division Multiple Access；ＦＤＭＡ）システム、時分割多元接続（Time Division Multiple Access；ＴＤＭＡ）システム、直交周波数分割多元接続（Orthogonal Frequency Division Multiple Access；ＯＦＤＭＡ）システム、シングルキャリア周波数分割多元接続（Single Carrier Frequency Division Multiple Access；ＳＣ-ＦＤＭＡ）システムなどがある。
【０００３】
直交周波数分割多重（Orthogonal Frequency Division Multiplexing；ＯＦＤＭ）システムは、低い複雑度でシンボル間干渉（inter-symbol interference）効果を減少させることができる。ＯＦＤＭは、直列に入力されるデータシンボルをＮ個の並列データシンボルに変換して、各々分離されたＮ個のサブキャリア（subcarrier）に載せて送信する。サブキャリアは、周波数次元で直交性を維持するようにする。各々の直交チャネルは、相互独立の周波数選択フェージング（frequency selective fading）を経験するので、シンボル間干渉が最小化されうる。直交周波数分割多元接続（Orthogonal Frequency Division Multiple Access；以下、ＯＦＤＭＡ）は、ＯＦＤＭを変調方式として使用するシステムにおいて、利用可能なサブキャリアの一部を各ユーザに独立して提供して多元接続を実現する多元接続方法をいう。ＯＦＤＭＡは、サブキャリアという周波数リソースを各ユーザに提供して、各々の周波数リソースは、複数のユーザに独立に提供されてお互いに重ならないことが一般的である。結局、周波数リソースは、ユーザごとに相互排他的に割り当てられる。
【０００４】
ＳＣ-ＦＤＭＡは、ＯＦＤＭＡとほぼ同じ複雑性を有する一方、シングルキャリア特性（single carrier property）によって一層低いＰＡＰＲ（Peak-to-Average Power Ratio）を有する。低いＰＡＰＲは、伝送パワー効率の側面で端末に有益であるため、ＳＣ-ＦＤＭＡは第３世代パートナーシッププロジェクト（3rd Generation Partnership Project；３ＧＰＰ）ＴＳ３６.２１１Ｖ８.０.０（２００７-０９）“Technical Specification Group Radio Access Network；Evolved Universal Terrestrial Radio Access（E-UTRA）；Physical channels and modulation（Release8）”の５節に開示されているように、３ＧＰＰ ロングタームエボリューション（Long Term Evolution；ＬＴＥ）でアップリンク伝送に採択されている。
【０００５】
一般的に、一つの基地局には、一つ以上のセル（cell）が配置される。一つのセルには複数の端末が位置されてもよい。一般的に、端末がネットワーク（network）に接続するためにランダムアクセス過程を経る。ランダムアクセス過程は、端末がネットワークと時間同期を合わせたり、端末がアップリンク無線リソースを要求したりするために使われてもよい。ランダムアクセス過程において、端末がネットワークにランダムアクセスプリアンブルを伝送するためのアップリンクチャネルとしてランダムアクセスチャネル（Random Access CHannel；ＲＡＣＨ）が使われる。
【０００６】
ＲＡＣＨの伝送に使われるＲＡＣＨリソース（resource）は、一般的に周波数及び時間領域で大きい領域を占める。例えば、ＲＡＣＨリソースは、周波数領域で１.０８ＭＨｚを占めて、時間領域で１ｍｓを占める。さらに、周波数領域で複数個のＲＡＣＨリソースが定義されてもよく、セルの大きさに応じて時間領域で２ないし３ｍｓにわたって伝送されてもよい。ＲＡＣＨを他の信号と同じリソースで同時に伝送する場合、お互いに干渉が発生しうるため、ＲＡＣＨリソース割当の際、干渉を考慮する必要がある。ＲＡＣＨで干渉が発生すれば、ネットワークへの接続が遅れてサービス遅延を招くおそれがあるためである。
【０００７】
このように、限定されたリソースという条件下において、大量のＲＡＣＨリソースによって他の信号の伝送のためのリソースが減るようになる。特に、小さい周波数帯域を使用する無線通信システムの場合、または大きいセル半径を有するシステムの場合、ＲＡＣＨリソースによって他の制御信号を伝送するための無線リソースが、一層著しく減ることがある。
【０００８】
ＲＡＣＨと他の制御信号との干渉を減らして、ＲＡＣＨリソース及び他の制御信号のためのリソースを效率的に使用することができる方法が必要である。
【発明の概要】
【発明が解決しようとする課題】
【０００９】
本発明が解決しようとする技術的課題は、制御信号間の干渉を減らす方法及び装置を提供することである。
【課題を解決するための手段】
【００１０】
一態様において、無線通信システムにおける制御信号伝送方法は、サブフレームのＲＡＣＨ（Random Access CHannel）リソース上でランダムアクセスプリアンブルを伝送し、前記ＲＡＣＨリソースは、ランダムアクセスプリアンブルの伝送にかかる時間であるプリアンブル区間と、前記ランダムアクセスプリアンブルのＣＰ（cyclic prefix）の伝送にかかる時間であるＣＰ区間とを含む段階と、前記サブフレームで前記ＲＡＣＨリソースに続くＳＣ-ＦＤＭＡ（Single Carrier-Frequency Division Multiple Access）シンボル上でサウンディング信号を伝送する段階と、を有する。
【００１１】
前記サウンディング信号は、前記サブフレームの最後のＳＣ-ＦＤＭＡシンボルで伝送されてもよい。前記サブフレームは、前記ＲＡＣＨリソース及び保護区間を含み、前記サウンディング信号は、前記保護区間内の前記ＳＣ-ＦＤＭＡシンボル上で伝送されてもよい。
【００１２】
他の態様において、無線通信のための装置は、無線信号を伝送するＲＦ（Radio Frequency）部と、前記ＲＦ部と接続されたプロセッサであって、サブフレームのＲＡＣＨリソース上でランダムアクセスプリアンブルを伝送し、前記ＲＡＣＨリソースは、ランダムアクセスプリアンブルの伝送にかかる時間であるプリアンブル区間と、前記ランダムアクセスプリアンブルのＣＰ（cyclic prefix）の伝送にかかる時間であるＣＰ区間とを含み、前記サブフレームの前記ＲＡＣＨリソースと重複しないＳＣ-ＦＤＭＡシンボル上でサウンディング信号を伝送するプロセッサと、を有する。
【発明の効果】
【００１３】
ＲＡＣＨリソースに続く時間中に他の制御情報を伝送することができるため、制御信号間の干渉が減り、限定された無線リソースをさらに效率的に使用することができる。
【図面の簡単な説明】
【００１４】
【図１】無線通信システムを示すブロック図である。
【図２】無線インターフェースプロトコルの制御プレーンを示すブロック図である。
【図３】無線インターフェースプロトコルのユーザプレーンを示すブロック図である。
【図４】３ＧＰＰ ＬＴＥで無線フレームの構造を示す図である。
【図５】一つのアップリンクスロットに対するリソースグリッドを例示する図である。
【図６】ＲＡＣＨリソースの一例を示す図である。
【図７】ＲＡＣＨリソースの他の例を示す図である。
【図８】本発明の一実施例に係る制御信号伝送方法を示す図である。
【図９】本発明の他の実施例に係る制御信号伝送方法を示す図である。
【図１０】本発明の他の実施例に係る制御信号伝送方法を示す図である。
【図１１】本発明の他の実施例に係るＲＡＣＨを介するデータ伝送方法を示す図である。
【図１２】本発明の一実施例に係るランダムアクセス過程を示す信号シーケンスチャートである。
【図１３】本発明の一実施例に係る制御信号伝送方法を示すフローチャートである。
【図１４】本発明の一実施例に係る無線通信のための装置を示すブロック図である。
【発明を実施するための形態】
【００１５】
以下の技術は、符号分割多元接続（Code Division Multiple Access；ＣＤＭＡ）、周波数分割多元接続（Frequency Division Multiple Access；ＦＤＭＡ）、時分割多元接続（Time Division Multiple Access；ＴＤＭＡ）、直交周波数分割多元接続（Orthogonal Frequency Division Multiple Access；ＯＦＤＭＡ）、シングルキャリア周波数分割多元接続（Single Carrier Frequency Division Multiple Access；ＳＣ-ＦＤＭＡ）などの多様な無線通信システムに使われてもよい。ＣＤＭＡは、ユニバーサル地上無線アクセス（Universal Terrestrial Radio Access；ＵＴＲＡ）やＣＤＭＡ２０００などの無線技術（radio technology）で具現されてもよい。ＴＤＭＡは、移動通信用グローバルシステム（Global System for Mobile communications；ＧＳＭ）／汎用パケット無線サービス（General Packet Radio Service；ＧＰＲＳ）／発展型ＧＳＭ用拡張データレート（Enhanced Data rates for GSM Evolution；ＥＤＧＥ）などの無線技術で具現されてもよい。ＯＦＤＭＡは、ＩＥＥＥ８０２.１１（ワイファイ（Wi-Fi））、ＩＥＥＥ８０２.１６（ワイマックス（WiMAX））、ＩＥＥＥ８０２-２０、発展型ＵＴＲＡ（Evolved UTRA；Ｅ-ＵＴＲＡ）などの無線技術で具現されてもよい。ＵＴＲＡは、ユニバーサル移動電話システム（Universal Mobile Telecommunications System；ＵＭＴＳ）の一部である。第３世代パートナーシッププロジェクト（3rd Generation Partnership Project；３ＧＰＰ）ロングタームエボリューション（long term evolution；ＬＴＥ）は、Ｅ-ＵＴＲＡを使用する発展型ＵＭＴＳ（Evolved UMTS；Ｅ-ＵＭＴＳ）の一部であって、ダウンリンクにおいてＯＦＤＭＡを採用し、アップリンクにおいてＳＣ-ＦＤＭＡを採用する。
【００１６】
説明を明確にするために、３ＧＰＰ ＬＴＥを中心に記述するが、本発明の技術的思想がこれに制限されることではない。
【００１７】
図１は、無線通信システムを示すブロック図である。これは発展型ユニバーサル移動電話システム（Evolved-Universal Mobile Telecommunications System；Ｅ-ＵＭＴＳ）のネットワーク構造であってもよい。Ｅ-ＵＭＴＳシステムは、ＬＴＥシステムと呼ばれてもよい。無線通信システムは、音声、パケットデータなどの多様な通信サービスを提供するために広く配置される。
【００１８】
図１を参照すると、発展型ＵＭＴＳ地上無線アクセスネットワーク（Evolved-UMTS Terrestrial Radio Access Network；Ｅ-ＵＴＲＡＮ）は、基地局（２０、Base Station；ＢＳ）を含む。端末（１０、User Equipment；ＵＥ）は、固定されたり、或いは移動性を有したりすることができ、移動局（Mobile station；ＭＳ）、ユーザ端末（User Terminal；ＵＴ）、加入者局（Subscriber Station；ＳＳ）、無線機器（Wireless Device）等、他の用語で呼ばれてもよい。基地局（２０）は一般的に端末（１０）と通信する固定局（fixed station）をいい、発展型ノードＢ（evolved-Node B；ｅＮＢ）、無線基地システム（Base Transceiver System；ＢＴＳ）、アクセスポイント（Access Point）等、他の用語で呼ばれてもよい。一つの基地局（２０）には一つ以上のセルが存在する。基地局（２０）間にはユーザトラフィック或いは制御トラフィック伝送のためのインターフェースが使われてもよい。以下、ダウンリンク（downlink）は、基地局（２０）から端末（１０）への通信を意味して、アップリンク（uplink）は、端末（１０）から基地局（２０）への通信を意味する。
【００１９】
基地局（２０）は、端末（１０）にユーザプレーンと制御プレーンの終端点を提供する。基地局（２０）間はＸ２インターフェースを介して相互接続され、隣接した基地局（２０）間には常にＸ２インターフェースが存在するメッシュ（meshed）ネットワーク構造を有してもよい。
【００２０】
基地局（２０）は、Ｓ１インターフェースを介して発展型パケットコア（Evolved Packet Core；ＥＰＣ）、より詳しくは、アクセスゲートウェイ（access Gateway；ａＧＷ、３０）と接続される。ａＧＷ（３０）は、端末（１０）のセッション及び移動性管理機能の終端点を提供する。基地局（２０）とａＧＷ（３０）との間にはＳ１インターフェースを介して複数個のノード同士（many to many）が接続される。ａＧＷ（３０）は、ユーザトラフィック処理を担当する部分と制御用トラフィックを処理する部分とに分けてもよい。この場合、新しいユーザトラフィック処理のためのａＧＷと制御用トラフィックを処理するａＧＷとの間に新しいインターフェースを使用してお互いに通信することができる。ａＧＷ（３０）は、モビリティ管理エンティティ（Mobility Management Entity；ＭＭＥ）／ユーザプレーンエンティティ（User Plane Entity；ＵＰＥ）とも呼ばれる。
【００２１】
一方、端末とネットワークとの間の無線インターフェースプロトコル（radio interface protocol）のレイヤは、通信システムにおいて広く知られた開放型システム間相互接続（Open System Interconnection；ＯＳＩ）モデルの下位３個のレイヤに基づいてＬ１（第１のレイヤ）、Ｌ２（第２のレイヤ）、Ｌ３（第３のレイヤ）に区分されてもよい。このうち、第１のレイヤに属する物理レイヤは、物理チャネル（physical channel）を用いた情報伝送サービス（information transfer service）を提供して、第３のレイヤに位置する無線リソース制御（Radio Resource Control；以下、ＲＲＣという）レイヤは、端末とネットワークとの間で無線リソースを制御する役割を遂行する。このために、ＲＲＣレイヤは、端末とネットワークとの間でＲＲＣメッセージをお互いに交換する。ＲＲＣレイヤは、基地局（２０）及びａＧＷ（３０）等、ネットワークノードに分散されて位置してもよく、基地局（２０）またはａＧＷ（３０）にのみ位置してもよい。
【００２２】
無線インターフェースプロトコルは、水平方向に物理レイヤ（physical layer）、データリンクレイヤ（data link layer）、及びネットワークレイヤ（network layer）からなり、垂直方向にはデータ情報伝送のためのユーザプレーン（user plane）と制御信号（signaling）伝達のための制御プレーン（control plane）とに区分される。
【００２３】
図２は、無線インターフェースプロトコルの制御プレーンを示すブロック図である。図３は、無線インターフェースプロトコルのユーザプレーンを示すブロック図である。図２及び図３は、３ＧＰＰ無線接続ネットワーク規格に基づく端末とＥ-ＵＴＲＡＮとの間の無線インターフェースプロトコルの構造を示す。
【００２４】
図２及び図３を参照すると、第１のレイヤである物理レイヤは、物理チャネル（physical channel）を用いて上位レイヤに情報伝送サービス（information transfer service）を提供する。物理レイヤは、上位にあるメディアアクセス制御（Medium Access Control；ＭＡＣ）レイヤとは伝送チャネル（transport channel）を介して接続されており、この伝送チャネルを介してＭＡＣレイヤと物理レイヤとの間でデータが転送される。そして、お互いに異なる物理レイヤ間、即ち、送信側と受信側の物理レイヤ間は物理チャネルを介してデータが転送される。
【００２５】
第２のレイヤのＭＡＣレイヤは、論理チャネル（logical channel）を介して上位レイヤである無線リンク制御（Radio Link Control；ＲＬＣ）レイヤにサービスを提供する。第２のレイヤのＲＬＣレイヤは、信頼性のあるデータの伝送を支援する。ＲＬＣレイヤの機能は、ＭＡＣ内部の機能ブロックで具現されてもよく、この場合、ＲＬＣレイヤは存在しなくてもよい。
【００２６】
第２のレイヤのパケットデータ収束プロトコル（Packet Data Convergence Protocol；ＰＤＣＰ）レイヤは、ＩＰｖ４やＩＰｖ６などのインターネットプロトコル（Internet Protocol；ＩＰ）パケット伝送の際、帯域幅の小さい無線区間で効率的にパケットを伝送するために、相対的に大きさが大きく、不必要な制御情報を含んでいるＩＰパケットヘッダサイズを減らすヘッダ圧縮（header compression）機能を遂行する。
【００２７】
第３のレイヤの無線リソース制御（Radio Resource Control；以下、ＲＲＣ）レイヤは、制御プレーンでのみ定義される。ＲＲＣレイヤは、無線ベアラ（Radio Bearer；ＲＢ）等の設定（configuration）、再設定（re-configuration）、及び開放（release）と関連して論理チャネル、伝送チャネル、及び物理チャネル等の制御を担当する。このとき、ＲＢは、端末とＥ-ＵＴＲＡＮとの間のデータ伝達のために第２のレイヤによって提供されるサービスを意味する。
【００２８】
ネットワークから端末にデータを伝送するダウンリンク伝送チャネルとしては、システム情報を伝送するブロードキャストチャネル（Broadcast CHannel；ＢＣＨ）と、その他にユーザトラフィックや制御メッセージを伝送するダウンリンク共有チャネル（Downlink-Shared CHannel；ＤＬ-ＳＣＨ）とがある。ダウンリンクマルチキャスト、または放送サービスのトラフィック、または制御メッセージの場合、ＤＬ-ＳＣＨを介して伝送されてもよく、または別途のダウンリンクマルチキャストチャネル（Downlink-Multicast CHannel；ＤＬ-ＭＣＨ）を介して伝送されてもよい。端末からネットワークにデータを伝送するアップリンク伝送チャネルとしては、初期制御メッセージを伝送するランダムアクセスチャネル（Random Access CHannel；ＲＡＣＨ）と、その他にユーザトラフィックや制御メッセージを伝送するアップリンク共有チャネル（Uplink-Shared CHannel；ＵＬ-ＳＣＨ）とがある。
【００２９】
次に、端末がネットワークにランダムアクセスプリアンブルを伝送するランダムアクセス過程について説明する。ランダムアクセス過程は、端末がネットワークとアップリンク同期を行ったり、アップリンク無線リソースを獲得したりするために使われる。例えば、端末が電源をつけて新しいセルに最初にアクセスしようとする。初期接続のために端末は、ダウンリンク同期を行って、接続しようとする基地局におけるシステム情報を受信する。そして、前記システム情報からランダムアクセスプリアンブルの伝送に関する情報を得た後、前記端末は、ランダムアクセスプリアンブルを基地局に伝送する。ランダムアクセスプリアンブルを受信した基地局は、アップリンク同期のためのタイミング補正（time alignment）情報とアップリンク無線リソース割当情報とを含むランダムアクセス応答を端末に送る。すると、前記端末は、前記アップリンク無線リソースを介してＲＲＣ接続メッセージを基地局に伝送することができる。
【００３０】
他の例としては、端末と基地局との間でＲＲＣ接続が確立されていると仮定する。この場合、基地局の無線リソーススケジューリングに従って、端末は、無線リソースの割当を受けるようになり、この無線リソースを介して端末のデータを基地局に伝送する。然しながら、端末のバッファにこれ以上伝送するデータが残っていないならば、ネットワークは端末にこれ以上のアップリンクの無線リソースを割り当てない。なぜならば、伝送するデータのない端末にアップリンク無線リソースを割り当てることは非効率的であるためである。既に割り当てられた無線リソースのない端末のバッファに新しいデータが生じるようになった場合、端末は、ランダムアクセス過程を用いて、データの伝送に必要なアップリンク無線リソースを基地局に要求する。
【００３１】
図４は、３ＧＰＰ ＬＴＥにおける無線フレームの構造を示す。
【００３２】
図４を参照すると、無線フレーム（radio frame）は、１０個のサブフレーム（subframe）で構成され、一つのサブフレームは、２個のスロット（slot）で構成される。一つのサブフレームの伝送にかかる時間を送信時間間隔（Transport Time Interval；ＴＴＩ）といい、例えば、一つのサブフレームの長さは１ｍｓであり、一つのスロットの長さは０.５ｍｓである。
【００３３】
一つのスロットは、時間領域（time domain）で複数のＳＣ-ＦＤＭＡシンボルを含み、周波数領域で複数の無線ベアラ（Radio Bearer；ＲＢ）を含む。ＳＣ-ＦＤＭＡシンボルは、３ＧＰＰ ＬＴＥにおけるアップリンクでＳＣ-ＦＤＭＡを使用するため、一つのシンボル区間（symbol period）を表現するためのものであり、システムに応じてＯＦＤＭＡシンボルまたはシンボル区間ということもできる。ＲＢは、リソース割当単位であり、一つのスロット中の複数の連続するサブキャリアを含む。
【００３４】
無線フレームの構造は例示に過ぎず、無線フレームに含まれるサブフレームの数またはサブフレームに含まれるスロットの数、スロットに含まれるＳＣ-ＦＤＭＡシンボルの数は多様に変更することができる。
【００３５】
図５は、一つのアップリンクスロットに対するリソースグリッド（resource grid）を例示する図である。
【００３６】
図５を参照すると、アップリンクスロットは、時間領域で複数のＳＣ-ＦＤＭＡシンボルを含み、周波数領域で複数のＲＢを含む。ここで、一つのアップリンクスロットは、７ＳＣ-ＦＤＭＡシンボルを含み、一つのリソースブロックは、１２サブキャリアを含む場合を例示的に記述するが、これに制限されることではない。
【００３７】
リソースグリッド上の各要素（element）をリソースエレメント（resource element）といい、一つのリソースブロックは、１２×７リソースエレメントを含む。アップリンクスロットに含まれるリソースブロックの数ＮULはセルで設定されるアップリンク伝送帯域幅（bandwidth）に依存する。
【００３８】
図６は、ＲＡＣＨリソースの一例を示す図面である。
【００３９】
図６を参照すると、ＲＡＣＨリソースは、ランダムアクセスチャネル（Random Access CHannel；ＲＡＣＨ）を割り当てるための時間領域及び／または周波数領域の単位である。ＲＡＣＨリソースは、ランダムアクセスプリアンブルを載せる無線リソース領域である。ＲＡＣＨリソースの帯域幅（ＢＷRACH）及びＲＡＣＨ区間（period、ＴRACH）は、システムに応じて特定の大きさに定義されてもよい。例えば、ＲＡＣＨリソースの帯域幅は、６個のリソースブロック（resource block；ＲＢ）を有する。リソースブロックは、端末に割り当てる無線リソースの基本単位である。リソースブロックは、周波数領域で連続された１２個のサブキャリアからなることがある。ＲＡＣＨ区間（ＴRACH）は、セルの大きさに応じて異なるように設定されてもよい。ＲＡＣＨ時間は、サブフレームの長さより大きくてもよく、或いは小さくてもよい。例えば、セル半径が１４.１ｋｍの場合、ＲＡＣＨリソースの時間（ＴRACH）は、１ＴＴＩでもよく、セル半径が１００ｋｍの場合、ＲＡＣＨリソースの時間は３ＴＴＩでもよい。
【００４０】
ＲＡＣＨ区間（ＴRACH）は、巡回プリフィックス（cyclic prefix；ＣＰ）区間（ＴCP）及びプリアンブル区間（ＴPRE）を含む。ＣＰ区間（ＴCP）は、シンボル間干渉（inter-symbol interference）及びマルチパスチャネルによる干渉などを最小化するためのＣＰの伝送に必要な時間をいう。ＣＰ区間は、一般的にチャネルの最大遅延スプレッド（maximum delay spread）と支援しようとするセルの大きさに応じる往復遅延時間（round trip delay）とを考慮して決められる。プリアンブル区間（ＴPRE）は、ランダムアクセスプリアンブルのシーケンスの伝送に必要な時間である。
【００４１】
図７は、ＲＡＣＨリソースの他の例を示す図面である。
【００４２】
図７を参照すると、ＲＡＣＨリソースのＲＡＣＨ区間（ＴRACH）は、ＣＰ区間（ＴCP）、プリアンブル区間（ＴPRE）及び保護区間（guard period、ＴGT）を含む。保護区間（ＴGT）は、現在のスロットと時間的に連続する次のスロット（またはサブフレーム）との間隔を表し、一般的に支援しようとするセルの大きさに応じる往復遅延時間（round trip delay）を考慮して決められる。保護区間（ＴGT）は、一般的に一つのＳＣ-ＦＤＭＡシンボル（またはＳＣ-ＦＤＭＡシンボル）の区間と同じであってもよく、これより大きくてもよい。保護区間（ＴGT）は、なんの信号も載せずに伝送されてもよく、一般的に受信機の検出過程に使われない。そして、セル半径の小さい都心などでは保護区間（ＴGT）の大きさが小さくなってもシステムの性能にほぼ影響を及ぼさない。
【００４３】
保護区間（ＴGT）内で他の制御信号を伝送するようになれば、限定された無線リソースを一層效率的に使用することができる。また、図６で説明したＲＡＣＨリソースに続いて他のスロットとの干渉を防止するための一定の大きさの保護区間が定義されてもよく、この保護区間を用いて他の制御情報を伝送することができる。
【００４４】
図８は、本発明の一実施例に係る制御信号伝送方法を示す図面である。これは、図６のＲＡＣＨリソースでＲＡＣＨ区間の遅延を示す遅延インジケータを用いてランダムアクセスプリアンブルと同時に、または独立して他の制御情報を伝送する場合である。ここでランダムアクセスプリアンブル及び他の制御情報の伝送は、お互いに異なる端末で行われてもよく、同じ端末で行われてもよい。然しながら、基地局は、二つの信号を同時に受信するようになる。
【００４５】
図８を参照すると、遅延インジケータ（delay indicator）を介してＲＡＣＨリソースの開始点を一定時間後に移動させることができる。即ち、遅延インジケータを用いてオリジナルのＲＡＣＨ区間（ＴRACH、original）より一定時間後に遅れたＲＡＣＨ区間（ＴRACH、delay）にランダムアクセスプリアンブルを伝送することができる。例えば、遅延インジケータは、１ビットで表すことができ、遅延インジケータが‘０’である場合はオリジナルのＲＡＣＨ区間（ＴRACH、original）でランダムアクセスプリアンブルを伝送し、遅延インジケータが‘１’である場合は遅れたＲＡＣＨ区間（ＴRACH、delay）でランダムアクセスプリアンブルを伝送する。端末が自分の伝送するランダムアクセスプリアンブルの遅延伝送の有無を設定して基地局に知らせることができる。または、基地局がセル大きさに応じて遅延伝送するランダムアクセスプリアンブルの伝送時間を指定して端末に知らせることができる。
【００４６】
ランダムアクセスプリアンブルの遅延のため、前のリソース領域上で、既に同期を獲得した他の端末が他の制御信号を伝送することができる。ランダムアクセスプリアンブルの遅延伝送によって生じる一定区間は、少なくとも一つのＳＣ-ＦＤＭＡシンボルになることがある。たとえ、一つのサブフレームでランダムアクセスプリアンブルの遅延が一つのＳＣ-ＦＤＭＡシンボルほど行われないとしても、他の制御信号は、サブフレームの最初のＳＣ-ＦＤＭＡシンボル上で伝送されることがある。このとき、ランダムアクセスプリアンブルの遅延によって生じたＳＣ-ＦＤＭＡシンボル上でサウンディング信号（sounding signal）を伝送することができる。即ち、ＲＡＣＨを１個のＳＣ-ＦＤＭＡシンボルだけ遅延伝送して、これによって生じる前記１個のＳＣ-ＦＤＭＡシンボル上でサウンディング信号が伝送される。サウンディング信号は、アップリンクスケジューリングのためのリファレンス信号（reference signal）である。サウンディング信号がランダムアクセスプリアンブルと同時に伝送されてもよいようにすることによって、アップリンクスケジューリングを容易にしてセル内の容量を増加させることができる。
【００４７】
ＲＡＣＨリソースより時間的に前であるＳＣ-ＦＤＭＡシンボル（またはＯＦＤＭＡシンボル）上でサウンディング信号は伝送される。前記ＳＣ-ＦＤＭＡシンボルは、前記ＲＡＣＨリソースと重複されなくてもよく、或いは前記ＲＡＣＨリソースの一部と重複されてもよい。ＲＡＣＨリソースとの重複を防止するために、サウンディング信号は、サブフレームの最初のＳＣ-ＦＤＭＡシンボル上で伝送されてもよい。サウンディング信号は、例示に過ぎず、他の制御信号が伝送されてもよい。このとき、端末は、遅延インジケータを介してＲＡＣＨリソースの遅延の有無が分かる。
【００４８】
ランダムアクセスプリアンブルを一定時間後に遅延伝送しても、ＲＡＣＨリソースが保護区間を越えないと相互干渉は発生しない。一般的に、保護区間は、１個のＳＣ-ＦＤＭＡシンボル以上の大きさを有するため、ＲＡＣＨを１個のＳＣ-ＦＤＭＡシンボルほど遅延伝送しても干渉が発生しない。ただ、これは実際に保護区間の大きさが小さくなる場合であるため、基地局のセルカバレッジ（cell coverage）が小さくなることがある。然しながら、都心のように小さいセル半径を使用する基地局（hot spot 基地局）では保護区間の大きさが小さくなってもシステムの性能にはほぼ影響を及ぼさない。また、小さくなるセルカバレッジを考慮して１個のＳＣ-ＦＤＭＡシンボル時間より小さい時間を遅延して使用してもよい。このような場合、より大きいセルカバレッジを支援することができるが、制御信号がランダムアクセスプリアンブルと重なって伝送されることがあるため、性能低下が現れる場合もある。
【００４９】
ランダムアクセスプリアンブルが遅延されて伝送される時間、ランダムアクセスプリアンブルと共に伝送される制御信号、遅延インジケータのビット数は、例示に過ぎず、制限することではない。ランダムアクセスプリアンブルは、保護区間（ＴGT）を越えない範囲内で数個のＳＣ-ＦＤＭＡシンボルほど遅延されて伝送されてもよい。また、このような遅延伝送は、ＳＣ-ＦＤＭＡシンボル区間の倍数である必要はない。そして、ランダムアクセスプリアンブルの遅延伝送によって生じるＳＣ-ＦＤＭＡシンボル上でデータ復調のためのリファレンス信号、ハイブリッド自動再送要求（Hybrid Auto Repeat reQuest；ＨＡＲＱ）のための確認応答（Acknowledgement；ＡＣＫ）／否定応答（Not-Acknowledgement；ＮＡＣＫ）信号、ダウンリンクチャネル状態を表すチャネル品質インジケータ（Channel Quality Indicator；ＣＱＩ）、プリコーディング行列を表すプリコーディングマトリックスインジケータ（Precoding Matrix Indicator；ＰＭＩ）、ランクを表すランクインジケータ（Rank Indicator；ＲＩ）等、多様な制御信号が伝送されてもよい。遅延インジケータのビット数は、数ビットの大きさを有してもよく、遅延インジケータは、ランダムアクセスプリアンブルが遅延するＳＣ-ＦＤＭＡシンボルの数、ＳＣ-ＦＤＭＡシンボル上に伝送される制御信号のタイプなど多様な情報を表すことができる。
【００５０】
図９は、本発明の他の実施例に係る制御信号伝送方法を示す図面である。これは、図７のように定義されるＲＡＣＨリソースを用いる時、遅延インジケータが用いられる場合である。
【００５１】
図９を参照すると、ＲＡＣＨリソースがＣＰ区間、プリアンブル区間だけでなく保護区間（ＴGT）を含んでいる場合にも遅延インジケータを用いてＲＡＣＨリソースの開始点を一定時間後に遅延させることができる。ランダムアクセスプリアンブルが遅延されたＲＡＣＨ区間（ＴRACH、delay）で伝送されても保護区間（ＴGT）には実際に伝送される信号がないため、オリジナルのＲＡＣＨ区間（ＴRACH、original）を超過する保護区間の部分は、後で伝送されるＳＣ-ＦＤＭＡシンボル（またはスロットまたはサブフレーム）に影響を与えない。既に同期のとれた他の端末は、ＲＡＣＨリソースの遅延伝送によって生じるＳＣ-ＦＤＭＡシンボル上でサウンディング信号または他の制御情報を伝送することができる。
【００５２】
図１０は、本発明の他の実施例に係る制御信号伝送方法を示す図面である。これは、図６のように定義されるＲＡＣＨリソースに続くＳＣ-ＦＤＭＡシンボル上で他の制御信号が伝送される場合である。
【００５３】
図１０を参照すると、ＲＡＣＨリソースに続くＳＣ-ＦＤＭＡシンボル上でサウンディング信号が伝送される。ＲＡＣＨリソースに続くＳＣ-ＦＤＭＡシンボルとは、ＲＡＣＨリソースに時間的に遅れ、ＲＡＣＨリソースに隣接するか、または隣接しないＳＣ-ＦＤＭＡシンボルをいう。一つの端末は、ランダムアクセスプリアンブルとサウンディング信号とを一つのサブフレーム内で同時に伝送してもよく、またはお互いに異なるサブフレームでランダムアクセスプリアンブルとサウンディング信号とを独立して伝送してもよい。例えば、端末は、第１のサブフレーム内のＲＡＣＨリソース上でランダムアクセスプリアンブルを伝送することができ、第２のサブフレーム内で保護区間に属するＳＣ-ＦＤＭＡシンボル上でサウンディング信号を伝送することができる。または、数個の端末が一つのサブフレームで各々ランダムアクセスプリアンブルとサウンディング信号とを伝送してもよい。第１の端末がサブフレームでランダムアクセスプリアンブルを伝送して、第２の端末が同じサブフレームでサウンディング信号を伝送する。この場合、基地局は、ランダムアクセスプリアンブルと同時にサウンディング信号を受信することができる。
【００５４】
一つまたは他のサブフレーム内でＲＡＣＨリソースに続く保護区間（ＴGT）でサウンディング信号が伝送される。保護区間には少なくとも一つのＳＣ-ＦＤＭＡシンボル（またはＯＦＤＭＡシンボル）が含まれてもよく、保護区間に属するＳＣ-ＦＤＭＡシンボル上でサウンディング信号が伝送される。サブフレームがＲＡＣＨリソース及び保護区間を含む時、ＲＡＣＨリソースに続くＳＣ-ＦＤＭＡシンボルは、保護区間の範囲に含まれるためである。保護区間は、サブフレームの最後の部分に配置されるため、サウンディング信号は、サブフレームの最後のＳＣ-ＦＤＭＡシンボル上で伝送されるようにすれば、ＲＡＣＨリソースとの重複を防止することができる。サブフレーム内でＲＡＣＨリソースと保護区間とはお互いに重複されず、一般的に、保護区間（ＴGT）は、一つのＳＣ-ＦＤＭＡシンボルより大きい。保護区間（ＴGT）は、実際伝送される信号がなく、受信機の検出過程で使われないため、サウンディング信号が伝送されてもランダムアクセスプリアンブルの伝送との干渉が最小化されうる。例えば、Ｅ-ＵＭＴＳにおいて、一つのＳＣ-ＦＤＭＡシンボルの大きさは６６.６７μｓであり、ＲＡＣＨリソースのための保護区間（ＴGT）は、９７.４μｓを使用するため、保護区間（ＴGT）は少なくとも一つのＳＣ-ＦＤＭＡシンボルを含むことができる。
【００５５】
サウンディング信号の伝送によって保護区間（ＴGT）の大きさが減ることがあるが（例えば、９７.４−６６.６７＝３０.７３μｓ）、都心のように小さいセル半径を使用する基地局では保護区間（ＴGT）の大きさが小さくなってもシステムの性能にはほぼ影響を及ぼさない。従って、基地局が小さいセル半径を使用する時、端末は、保護区間（ＴGT）の大きさを減らし、ランダムアクセスプリアンブルとサウンディング信号とを同時に伝送するようにすることができる。
【００５６】
保護区間の大きさが一つのＳＣ-ＦＤＭＡシンボルの大きさより小さい、或いは一つのサブフレームでＲＡＣＨリソースを除外した領域の大きさが一つのＳＣ-ＦＤＭＡシンボルの大きさより小さければ、ＲＡＣＨリソースとサウンディング信号との間の干渉を減らすために、サウンディング信号は、サブフレームの最後のＳＣ-ＦＤＭＡシンボル上で伝送されてもよい。これはＲＡＣＨリソースの大きさに関係なく、サウンディング信号がサブフレーム内で固定された位置、即ち、最後のＳＣ-ＦＤＭＡシンボル上で伝送されることを意味する。
【００５７】
図１１は、本発明の他の実施例に係るＲＡＣＨを介するデータ伝送方法を示す図面である。これは、図７で定義されるＲＡＣＨリソースに続くＳＣ-ＦＤＭＡシンボル上で他の制御信号を伝送する場合である。
【００５８】
図１１を参照すると、ＲＡＣＨリソースが保護区間（ＴGT）を含む場合、ＲＡＣＨリソースに続くＳＣ-ＦＤＭＡシンボル上でサウンディング信号が伝送されることがある。この場合、続くＳＤ-ＦＤＭＡシンボルは、サブフレームの最後のＳＣ-ＦＤＭＡシンボルである。最後のＳＣ-ＦＤＭＡシンボルは、保護区間（ＴGT）に該当しており何らの信号も載せられないため、ランダムアクセスプリアンブルとの干渉は発生しない。
【００５９】
保護区間（ＴGT）にサウンディング信号が伝送される場合には別途のインジケータが必要でない。基地局は、ＲＡＣＨリソースの保護区間（ＴGT）にサウンディング信号が伝送されることがスケジューリングを介して予め分かるためである。
【００６０】
以上、ランダムアクセスプリアンブルの伝送のためのＲＡＣＨリソースの構造がＣＰ区間及びプリアンブル区間を含むと説明したが、ＲＡＣＨリソースは、多様な構造を有しうる。例えば、ＲＡＣＨリソースは、拡張されたＲＡＣＨ形態、繰り返されたＲＡＣＨ形態などのように多様な大きさ及び構成で形成されてもよい。ＲＡＣＨリソースの構造は、例示に過ぎず、ＲＡＣＨリソースに続く（またはＲＡＣＨリソースと重ならない）保護区間を用いて他の制御情報を伝送することは本発明の技術的思想に含まれる。
【００６１】
図１２は、本発明の一実施例に係るランダムアクセス過程を示す信号シーケンスチャートである。
【００６２】
図１２を参照すると、段階Ｓ１１０において、端末は、使用可能なランダムアクセスプリアンブルの集合とＲＡＣＨリソースとから任意にランダムアクセスプリアンブルとＲＡＣＨリソースとを選択して、選択されたＲＡＣＨリソース上で選択されたランダムアクセスプリアンブルを基地局に伝送する。このとき、既にアップリンク同期を獲得した他の端末は、ＲＡＣＨリソースに続くＳＣ-ＦＤＭＡシンボル上でサウンディング信号を伝送することができる。基地局の立場から見れば、サウンディング信号は、ランダムアクセスプリアンブルと重複されないように、時間的に前に、或いは後に伝送されうる。サウンディング信号がランダムアクセスプリアンブルより時間的に前の場合、ランダムアクセスプリアンブルは、サウンディング信号が伝送されるＳＣ-ＦＤＭＡシンボルほど一定時間遅延されて伝送される。ランダムアクセスプリアンブルの遅延伝送の有無は、遅延インジケータ（delay indicator）で表されてもよい。サウンディング信号がランダムアクセスプリアンブルより時間的に後の場合、サウンディングチャネルは、ＲＡＣＨリソースに続く保護区間内のＳＣ-ＦＤＭＡシンボル上で伝送されてもよい。小さいセル半径を使用する基地局ではサウンディング信号がランダムアクセスプリアンブルに時間的に隣接して伝送されてもシステムの性能にはほぼ影響を及ぼさない。基地局は、サウンディング信号を介してアップリンクスケジューリングを遂行することができる。
【００６３】
段階Ｓ１２０において、基地局は、ランダムアクセスプリアンブルを受信した後、端末にランダムアクセス応答（Random Access Response）を伝送する。基地局は、ランダムアクセスプリアンブルと共にサウンディング信号を受信することができる。基地局は、サウンディング信号を用いてアップリンクスケジューリングを遂行することができる。このとき、アップリンクスケジューリングは、ランダムアクセスプリアンブルと共に受信されたサウンディング信号以外に他の時間／周波数領域で受信されたサウンディング信号を全て考慮して遂行されてもよい。ランダムアクセス応答は、時間オフセット（Time Advance；ＴＡ）、及び後述するスケジューリングされたメッセージの伝送のためのアップリンク無線リソース割当に関する情報を含む。また、ランダムアクセス応答は、受信したランダムアクセス応答のインデックスを含み、端末が自分のランダムアクセス応答であるかどうかを確認することができるようにする。ＤＬ-ＳＣＨ上で伝送されるランダムアクセス応答は、ランダムアクセス無線ネットワーク一時識別子（Random Access-Radio Network Temporary Identity；ＲＡ−ＲＮＴＩ）によって示されるＤＬ Ｌ１／Ｌ２制御チャネルによって指示されてもよい。
【００６４】
段階Ｓ１３０において、端末は、ランダムアクセス応答を受信した後、ランダムアクセス応答に含まれた無線リソース割当情報に応じてスケジューリングされたメッセージを伝送する。スケジューリングされたメッセージは、ＲＲＣ接続要求（RRC Connection Request）メッセージでもよい。
【００６５】
段階Ｓ１４０において、基地局は、スケジューリングされたメッセージを端末から受信した後に、衝突回避（contention resolution）メッセージを端末に伝送する。
【００６６】
図１３は、本発明の一実施例に係る制御信号伝送方法を示すフローチャートである。段階Ｓ２１０において、端末は、サブフレーム内のＲＡＣＨリソース上でランダムアクセスプリアンブルを伝送する。ＲＡＣＨリソースは、ＣＰ区間とプリアンブル区間とを含む。段階Ｓ２２０において、端末は、前記サブフレーム内で前記ＲＡＣＨリソースに続くＳＣ-ＦＤＭＡシンボル上でサウンディング信号を伝送する。前記ＳＣ-ＦＤＭＡシンボルは、前記サブフレーム内の保護区間に属してもよく、前記サブフレームの最後のＳＣ-ＦＤＭＡシンボルであってもよい。
【００６７】
図１４は、本発明の一実施例に係る無線通信のための装置を示すブロック図である。この装置は端末の一部でもよい。無線通信のための装置（５０）は、プロセッサ（processor、５１）、メモリ（memory、５２）、無線周波数部（Radio Frequency unit；ＲＦ部、５３）、ディスプレイ部（display unit、５４）、ユーザインターフェース部（user interface unit、５５）を含む。メモリ（５２）は、プロセッサ（５１）と接続されて、オペレーティングシステム、アプリケーション、及び一般的なファイルを格納する。ディスプレイ部（５４）は、装置（５０）の多様な情報を表示して、液晶ディスプレイ（Liquid Crystal Display；ＬＣＤ）、有機発光ダイオード（Organic Light Emitting Diodes；ＯＬＥＤ）等、よく知られた構成要素を使用することができる。ユーザインターフェース部（５５）は、キーパッドやタッチスクリーンなど、よく知られたユーザインターフェースの組合せからなることがある。ＲＦ部（５３）は、プロセッサ（５１）と接続され、無線信号（radio signal）を送信及び／または受信する。プロセッサ（５１）は、ＲＡＣＨリソースを設定して、ランダムアクセスプリアンブルと他の制御信号との伝送を遂行する。前述した実施例は、プロセッサ（５１）によって遂行されてもよい。
【００６８】
前述した全ての機能は、前記機能を遂行するようにコーディングされたソフトウェアやプログラムコードなどにともなうマイクロプロセッサ、制御器、マイクロ制御器、特定用途向け集積回路（Application Specific Integrated Circuit；ＡＳＩＣ）などのプロセッサによって遂行されてもよい。前記コードの設計、開発及び具現は、本発明の説明に基づいて当業者に自明である。
【００６９】
以上、本発明について実施例を参照して説明したが、該当技術分野の通常の知識を有する者は、本発明の技術的思想及び領域から外れない範囲内で本発明を多様に修正及び変更させて実施できることを理解することができる。従って、前述した実施例に限定することではなく、本発明は、特許請求の範囲内の全ての実施例を含む。
【符号の説明】
【００７０】
１０    端末
２０    基地局
５０    無線通信のための装置
５１    プロセッサ
５２    メモリ
５３    ＲＦ部
５４    ディスプレイ部
５５    ユーザインターフェース部
【図１】
2011501911.tif 000003
【図２】
2011501911.tif 000004
【図３】
2011501911.tif 000005
【図４】
2011501911.tif 000006
【図５】
2011501911.tif 000007
【図６】
2011501911.tif 000008
【図７】
2011501911.tif 000009
【図８】
2011501911.tif 000010
【図９】
2011501911.tif 000011
【図１０】
2011501911.tif 000012
【図１１】
2011501911.tif 000013
【図１２】
2011501911.tif 000014
【図１３】
2011501911.tif 000015
【図１４】
2011501911.tif 000016
【手続補正書】
【提出日】平成22年4月8日(2010.4.8)
【手続補正１】
【補正対象書類名】特許請求の範囲
【補正対象項目名】全文
【補正方法】変更
【補正の内容】
【特許請求の範囲】
【請求項１】
無線通信システムにおける移動局が制御信号を伝送する方法において、
時間領域で複数のＯＦＤＭＡシンボルを含むサブフレームでサウンディング信号のためのＯＦＤＭＡシンボルを伝送することを含み、
前記サウンディング信号のためのＯＦＤＭＡシンボルの伝送は、前記サブフレームでランダムアクセスプリアンブルの伝送と重複されず、
前記ランダムアクセスプリアンブルは、ランダムアクセスプリアンブルシーケンスの伝送のための時間区間と前記サブフレーム内で前記ランダムアクセスプリアンブルシーケンスのＣＰの伝送のための時間区間であるＣＰ区間とを含む方法。
【請求項２】
前記サウンディング信号のためのＯＦＤＭＡシンボルは、前記サブフレームの最後のＯＦＤＭＡシンボルである請求項１に記載の方法。
【請求項３】
前記サブフレーム内で前記サウンディング信号のためのＯＦＤＭＡシンボルの位置は、前記ランダムアクセスプリアンブルの大きさと関係なく固定される請求項１に記載の方法。
【請求項４】
前記サブフレーム内で前記ランダムアクセスプリアンブルを伝送し、
前記ランダムアクセスプリアンブルのインデックスとアップリンクタイミング補正のための時間オフセットとを含むランダムアクセス応答を受信することをさらに含む請求項１に記載の方法。
【請求項５】
前記ランダムアクセスプリアンブルは、他の端末によって伝送される請求項４に記載の方法。
【請求項６】
無線通信のための装置において、
無線信号を伝送するＲＦ部と、
前記ＲＦ部と接続されたプロセッサと、を有し、
前記プロセッサは、時間領域で複数のＯＦＤＭＡシンボルを含むサブフレームでサウンディング信号のためのＯＦＤＭＡシンボルを伝送し、
前記サウンディング信号のためのＯＦＤＭＡシンボルの伝送は、前記サブフレームでランダムアクセスプリアンブルの伝送と重複されず、
前記ランダムアクセスプリアンブルは、ランダムアクセスプリアンブルシーケンスの伝送のための時間区間と前記サブフレーム内で前記ランダムアクセスプリアンブルシーケンスのＣＰの伝送のための時間区間であるＣＰ区間とを含む装置。
【請求項７】
前記サウンディング信号のためのＯＦＤＭＡシンボルは、前記サブフレームの最後のＯＦＤＭＡシンボルである請求項６に記載の装置。
【請求項８】
前記サブフレーム内で前記サウンディング信号のためのＯＦＤＭＡシンボルの位置は、前記ランダムアクセスプリアンブルの大きさと関係なく固定される請求項６に記載の装置。
【国際調査報告】
2011501911.tif 000017
2011501911.tif 000018